(57)【要約】      （修正有）【課題】ベルト付きの作業パンツを履いて、傷付き易い紙製品または紙で包装された商品等を扱う場合に、前記製品、商品、あるいは、包装紙に傷が付かないようにベルトのバックル部分を覆うことができるバックル覆いを提供する。【解決手段】バックル部分を覆うバックル覆い部材と、バックル覆い部材を互いに着脱可能な装着手段とから構成されている。バックル覆い部材は、作業パンツを身体に固定するためのベルトにおけるバックル部分を覆って、紙で包装した商品等がバックルによって傷付けられないように保護する。前記装着手段は、バックル覆い部材の表および裏のそれぞれ対向する位置に設けられており、必要に応じて、着脱が可能である。【選択図】図１
0003109647.tif 000002
【実用新案登録請求の範囲】
【請求項１】
作業パンツを身体に固定するためのベルトにおけるバックル部分を覆うバックル覆い部材と、
前記バックル覆い部材の表および裏のそれぞれ対向する位置に設けられた装着手段と、
を少なくとも備えていることを特徴とするバックル覆い。
【請求項２】
前記装着手段は、ドットボタン、ボタン、面ファスナのいずれかであることを特徴とする請求項１に記載されたバックル覆い。
【請求項３】
前記バックル覆い部材には、ポケットが設けられていることを特徴とする請求項１または請求項２に記載されたバックル覆い。
【考案の詳細な説明】
【技術分野】
【０００１】
本考案は、ベルト付きの作業パンツを履いて、傷付き易い製品、紙製品、または紙で包装された商品等を扱う場合に、前記製品、商品、あるいは、包装紙に傷が付かないようにベルトのバックル部分を覆うことができるバックル覆いに関するものである。
【背景技術】
【０００２】
作業パンツには、虫除け用として、たとえば、特開２００３−５５８１５号公報、鉄筋工用として、たとえば、特開２００１−１７９６６２号公報、危険事故防止特殊作業ズボンとして、たとえば、特開２０００−３２８３２２号公報、作業の安全のためのものとして、たとえば、特表平１１−５０３０５０号公報、作業パンツとしての材料に限定されたものとして、特表平１１−５１３４４４号公報および特表２００３−５０６５１３号公報等がある。前記各特許文献に記載された発明は、それぞれの目的に適った作業パンツである。
【特許文献１】特開２００３−５５８１５号公報
【特許文献２】特開２００１−１７９６６２号公報
【特許文献３】特開２０００−３２８３２２号公報
【特許文献４】特表平１１−５０３０５０号公報
【特許文献５】特表平１１−５１３４４４号公報
【特許文献６】特表２００３−５０６５１３号公報
【考案の開示】
【考案が解決しようとする課題】
【０００３】
しかし、作業パンツを身体に留めるバンドのバックルが商品等を傷付けるという課題の意識はなく、前記課題を解決するための出願および製品が無かった。本考案は、前記課題を解決すると同時に、前記特許文献の目的と異なるバックル覆いを提供することを目的とする。すなわち、本考案は、傷付き易い製品または傷付き易い商品の扱いまたは運搬中に、作業パンツのバックル等によって前記製品、商品、あるいは、包装紙を傷付けないようにするためのバックル覆いを提供することを目的とする。
【課題を解決するための手段】
【０００４】
（第１考案）
第１考案のバックル覆いは、作業パンツを身体に固定するためのベルトにおけるバックル部分を覆うバックル覆い部材と、前記バックル覆い部材の表および裏のそれぞれ対向する位置に設けられた装着手段とを少なくとも備えていることを特徴とする。
【０００５】
（第２考案）
第２考案のバックル覆いは、第１考案における装着手段がドットボタン、ボタン、面ファスナのいずれかであることを特徴とする。
【０００６】
（第３考案）
第３考案のバックル覆いは、第１考案または第２考案におけるバックル覆い部材にポケットが設けられていることを特徴とする。
【考案の効果】
【０００７】
本考案によれば、ベルトを締めるバックル部分がバックル覆いによって覆われているため、紙や傷付き易い製品または商品を運搬する際に、バックル部分によって前記商品等を傷付けることがない。
【０００８】
本考案によれば、バックル覆いにポケットを付けることにより、この部分が厚くなるため、紙や傷つき易い製品または商品を運搬する際に、バックル部分によって前記商品等を傷付けることがない。また、前記ポケットは、配達伝票等を入れて置くことができ、便利である。
【考案を実施するための最良の形態】
【０００９】
（第１考案）
第１考案のバックル覆いは、バックル部分を覆うバックル覆い部材と、前記バックル覆い部材を互いに着脱可能な装着手段とから構成されている。前記バックル覆い部材は、作業パンツを身体に固定するためのベルトにおけるバックル部分を覆って、紙で包装した商品等が前記バックルによって傷付けられないように保護する。前記装着手段は、前記バックル覆い部材の表および裏のそれぞれ対向する位置に設けられており、必要に応じて、着脱が可能である。
【００１０】
（第２考案）
第２考案のバックル覆いは、第１考案における装着手段として、ドットボタン、ボタン、面ファスナのいずれかを使用する。前記ドットボタン、ボタン、面ファスナは、前記バックル覆いに取り付け易く、また、前記ベルトを覆う際に、着脱が容易である。
【００１１】
（第３考案）
第３考案のバックル覆いは、第１考案または第２考案のバックル覆い部材にポケットが設けられる。前記ポケットは、商品の配達に際し必要な伝票等を入れておくのに便利であるだけでなく、この部分が厚くなるため、前記バックルの角部等により、包装用紙等を傷付けるのを保護する。
【実施例１】
【００１２】
図１は本考案の第１実施例であるバックルにバックル覆いを装着した状態を説明するための斜視図である。図２（イ）から（ハ）は本考案の第１実施例であるバックル覆いであり、（イ）はバックル覆いの表、（ロ）はバックル覆いの裏、（ハ）はバックルを覆った状態を説明するための図である。図１および図２において、バックル覆い１１は、たとえば、一つの面（表）の上部に装着手段である面ファスナ１１１、１１１′が取り付けられており、他方の面（裏）の下部に装着手段である前記面ファスナ１１１、１１１′と着脱が可能な面ファスナ１１２、１１２′が取り付けられている。また、前記面ファスナ１１１、１１１′と前記面ファスナ１１２、１１２′とは、それぞれが対応した位置に設けられている。
【００１３】
一方、作業パンツ１２は、前立て１２１と、ベルト通し１２２が少なくとも取り付けられている。前記作業パンツ１２は、図１に示すように、ベルト通し１２２にベルト１３を通す。前記バックル覆い１１は、前記バックル１３１部分を覆った後、前記装着手段である面ファスナ１１１、１１１′、および他方の面ファスナ１１２、１１２′を互いに接合させる。
【００１４】
前記各装着手段は、面ファスナ以外に、ドットボタンやボタンであっても良い。前記バックル覆い１１は、バックル１３１が作業パンツ１２の表面に露出しないように取り付けられる。したがって、前記作業パンツ１２は、ベルト１３をバックル１３１によって身体に締めた状態であっても、紙で包装した商品等の運搬中にバックル１３１によって、前記商品等に傷を付けることがない。
【実施例２】
【００１５】
図３は本考案の第２実施例であるバックル覆いによりバックルを覆った状態を説明するための斜視図である。図３において、バックル覆い１１は、第１実施例と同じ部分に同じ符号が付けられている。そして、第１実施例と異なるのは、第１実施例におけるバックル覆い１１の前にポケット３１（二点鎖線）が設けられている点である。前記ポケット３１は、前記バックル１３１部分を厚くするため、前記バックル１３１の表面によって、紙等を傷つけることがない。また、前記ポケット３１は、配達の際の伝票等を入れておくのに便利である。
【産業上の利用可能性】
【００１６】
以上、本実施例を詳述したが、本考案は、前記本実施例に限定されるものではない。そして、本考案は、実用新案登録請求の範囲に記載された本考案を逸脱することがなければ、種々の設計変更を行うことが可能である。本考案のバックルを覆うバックル覆いの材質は、製品、商品、包装紙等に傷を付けないもので、天然または合成繊維、皮革、毛を素材にした軟らかいものであれば、公知または周知のものを使用できる。また、装着手段は、公知または周知のものを使用することができる。
【図面の簡単な説明】
【００１７】
【図１】本考案の第１実施例であるバックルにバックル覆いを装着した状態を説明するための斜視図である。（実施例１）
【図２】（イ）から（ハ）は本考案の第１実施例であるバックル覆いであり、（イ）はバックル覆いの表、（ロ）はバックル覆いの裏、（ハ）はバックルを覆った状態を説明するための図である。
【図３】本考案の第２実施例であるバックル覆いによりバックルを覆った状態を説明するための斜視図である。（実施例２）
【符号の説明】
【００１８】
１１・・・バックル覆い
１１１、１１１′、１１２、１１２′・・・装着手段
１２・・・作業パンツ
１２１・・・前立て
１２２・・・ベルト通し
１３・・・ベルト
１３１・・・バックル
３１・・・ポケット
【図１】
0003109647.tif 000003
【図２】
0003109647.tif 000004
【図３】
0003109647.tif 000005